(57)【要約】
【課題】  ペットの健康を簡単に、しかも低コストで増進することが可能なペット用健康器具を提供する。
【解決手段】  本考案に係るペット用首輪は、ペットの首に巻き付けられる首輪本体１と、この首輪本体１においてペットの体と対向する位置に取り付けられ、ゲルマニウムを含有するゲルマニウム体３とを備えている。
【選択図】  図２
0003101356.tif 000002
【実用新案登録請求の範囲】
【請求項１】
ペットの体に巻き付けられる帯状の本体部と、
当該本体部においてペットの体と対向する位置に取り付けられ、ゲルマニウムを含有するゲルマニウム体と
を備えたことを特徴とするペット用健康器具。
【請求項２】
前記本体部は、ペットの首に巻き付けられる首輪を構成する請求項１に記載のペット用健康器具。
【請求項３】
前記本体部に前記ゲルマニウム体が配置可能な孔を形成するとともに、当該孔にゲルマニウム体が配置された状態で、前記孔を塞ぐように板状部材で前記本体部を挟み、前記板状部材に前記ゲルマニウム体の一部が露出する露出孔が形成されている請求項１または２に記載のペット用健康器具。
【請求項４】
前記本体部に前記ゲルマニウム体が配置可能な孔を形成するとともに、当該孔にゲルマニウム体が配置された状態で、前記孔の壁面とゲルマニウム体との間にリング状部材が圧入されている請求項１または２に記載のペット用健康器具。
【考案の詳細な説明】
【技術分野】
【０００１】
本考案は、犬、猫等のペットの体に取り付けられる首輪やハーネスに関する。
【背景技術】
【０００２】
近年、住環境の制約によって屋外でペットを飼うことが困難になってきており、これに起因して、マンション等の屋内でペットが飼われることが多くなってきている。しかしながら、屋内でのペットの居住スペースは一般的に狭いため、ペットにとっては一種のストレスとなっている。そして、このようなストレスに起因して、ペットの体毛に脱毛が生じたり、さらには健康を害するという問題が発生している。
【０００３】
このような問題に対して、例えば、特開２００２−４７１８２号公報には、脱毛を防止するための薬用のローションを、ペットの体に噴霧する方法が提案されている。
【考案の開示】
【考案が解決しようとする課題】
【０００４】
しかしながら、このようなローションは、皮膚のみに作用するものであるため、ペットの健康を改善するための根本的な解決方法とは言えなかった。また、ローション等の薬剤は、継続的に使用することが必要であるため、ペットの健康を維持するためには、コストがかかるという問題も抱えている。
【０００５】
本考案は、上記問題を解決するためになされたものであり、ペットの健康を確実に、しかも低コストで増進することが可能なペット用健康器具を提供することを目的とする。
【課題を解決するための手段】
【０００６】
本考案に係るペット用健康器具は、上記問題を解決するためになされたものであり、ペットの体に巻き付けられる帯状の本体部と、当該本体部においてペットの体と対向する位置に取り付けられ、ゲルマニウムを含有するゲルマニウム体とを備えたものである。
【０００７】
このペット用健康器具によれば、ゲルマニウムを含有するゲルマニウム体がペットの体に接触するため、ゲルマニウムによる遠赤外効果によって、血流及び神経が活性化され、ペットの健康を増進することができる。その結果、ペットの健康の増進を図ることができ、種々の病気を治癒したり、病気の予防をすることが可能となる。例えば、ストレスによる脱毛を防止できるほか、体毛のつやをよくしたり、無駄吠えをなくすなどの効果を得ることができる。特に、本考案では、ペットの体に巻き付けられる本体部にゲルマニウム体を取り付けているため、本体部がペットに取り付けられている限り、ゲルマニウムによる遠赤外効果をペットの体に継続的に作用させることができる。また、薬剤のように消費されるものではなく、一度準備すれば半永久的にゲルマニウムの遠赤外効果を得ることができるため、低コストでペットの健康を改善することができる。
【０００８】
このような健康器具は、ペット用の首輪やハーネスに適用することができ、本体部をペットの首に巻き付ける首輪として構成したり、ペットの体に巻き付けて着用するハーネスとして構成することができる。特に、本体部を首輪として構成すると、ゲルマニウムの効果を継続的に作用させることができる。
【０００９】
本考案で使用されるゲルマニウム体は、種々の形態のものを使用することができ、例えば粒状、板状、または粉状に形成したものを本体部に取り付けることもできる。なお、本考案でいうペットは、犬、猫の他、一般的に首輪やハーネスが取り付けられるもののすべてが対象となる。
【００１０】
ゲルマニウム体の取り付け方法は、種々の方法が考えられるが、例えば、ゲルマニウム体を粒状等の固形状に形成した場合には、本体部にゲルマニウム体が配置可能な孔を形成するとともに、この孔にゲルマニウム体を配置した状態で孔を塞ぐように板状部材で本体部を挟み、板状部材にゲルマニウム体の一部が露出する露出孔を形成することで、ゲルマニウム体の取り付けを行うことができる。或いは、本体部にゲルマニウム体が配置可能な孔を形成するとともに、この孔にゲルマニウム体が配置された状態で、孔の壁面とゲルマニウム体との間にリング状部材を圧入することによってもゲルマニウム体の取り付けを行うことができる。
【考案の効果】
【００１１】
本考案に係るペット用健康器具によれば、ペットの健康を簡単に、しかも低コストで増進することができる。
【考案を実施するための最良の形態】
【００１２】
以下、本考案に係るペット用健康器具を首輪に適用した場合の一実施形態について図面を参照しつつ説明する。図１は本実施形態に係るペット用首輪の斜視図である。
【００１３】
図１に示すように、このペット用首輪は、ペットの首に巻き付けられる帯状の首輪本体（本体部）１と、この首輪本体１に取り付けられるゲルマニウム体３（図２参照）とから構成されている。首輪本体１は、ゲルマニウム体３が取り付けられた中間部５と、この中間部５の両端にリング７を介して回動自在に連結された第１及び第２連結部９，１１とで構成されている。中間部５は、帯片５ａを２箇所で屈曲させ、その両端部を接触させるように折り曲げて接着したものであり、２つの屈曲部分には、それぞれリング７が取り付けられている。第１連結部９は、一端部が折り曲げられて上記リングが取り付けられた帯片９ａと、この帯片９ａに取り付けられる長さ調整用のバックル９ｂとから構成されている。また、第２連結部１１は、一端部が折り曲げられて上記リング７が取り付けられた帯片１１ａからなり、この帯片１１ａの他端部には、上記バックル９ｂが取り付けられる調整用の孔ｈが複数形成されている。
【００１４】
図２は、中間部を示す斜視図である。同図に示すように、中間部５において、内側を向く面、つまりペットの体と対向する面には、円形の穴１３が形成されており、この穴には雌ネジが形成された取付部材１５が嵌め込まれて固着されている。そして、この取付部材１５に、雄ねじ４が取り付けられたゲルマニウム体３がネジ止めされている。このゲルマニウム体３は、純度９９．９９％のゲルマニウムのインゴットを粉末にし、これを金型に入れて熱処理することで粒状に形成したものである。
【００１５】
一方、中間部５の外面には、図１に示すように、ネームプレート１９やその他の装飾具を取り付けることができる。
【００１６】
以上のように構成されたペット用首輪によれば、中間部５に取り付けられたゲルマニウム体３がペットの体に接触するため、ゲルマニウムによる遠赤外効果によって、次のような利点がある。すなわち、遠赤外線からなる電磁波がペットの血液及び神経に作用するため、血行が増進されるとともに、神経が活性化される。その結果、ペットの健康の増進を図ることができ、種々の病気の予防や治癒が可能となる。たとえば、ストレスによる脱毛を防止できるほか、体毛のつやをよくしたり、無駄吠えをなくすなどの効果を得ることができる。また、本実施形態における首輪は、一旦取り付けると、半永久的にゲルマニウムの遠赤外効果を得ることができるため、低コストでペットの健康を改善することができる。
【００１７】
以上、本考案の一実施形態について説明したが、本考案はこれに限定されるものではなく、その趣旨を逸脱しない限りにおいて種々の変更が可能である。例えば、上記実施形態では、粒状のゲルマニウム体３を使用しているが、これに限定されるものではなく、板状に形成したものを首輪本体１に取り付けたり、粉末状のものを首輪本体１に塗布することもできる。また、上記説明では、９９．９９％の純度のゲルマニウムでゲルマニウム体を構成しているが、これ以外にも、ゲルマニウムに、金、銀、ステンレス等を混ぜて合金とし、これをゲルマニウム体として用いることもできる。
【００１８】
また、首輪本体１に対するゲルマニウム体３の取り付け方法は、上記したものに限定されるものではなく、例えば図３に示すように構成することができる。まず、ゲルマニウム体３を、円柱部３ａとその上面に形成される円錐部３ｂとからなる形状に形成する。そして、首輪本体１に円柱部３ａが嵌る孔２１を形成し、この孔２１にゲルマニウム体３をはめ込む。続いて、四隅に突起２３ａが形成され中央に円形の孔（露出孔）２３ｂが形成された矩形状の第１金属板（板状部材）２３、及び四隅に孔２５ａが形成された第２金属板（板状部材）２５を準備する。ここで、第１金属板２３に形成された孔２３ｂは、ゲルマニウム体３の径よりも小さくなっている。また、ゲルマニウム体３の円柱部３ａの高さは、首輪本体１の厚さとほぼ同じになっている。
【００１９】
そして、第１金属板２３をゲルマニウム体３の円錐部３ｂ側から首輪本体１上に取り付ける。このとき、第１金属板２３の孔２３ｂからゲルマニウム体３の円錐部３ｂが突出するようにする。また、第１金属板２３の突起２３ａは、首輪本体１を貫通して反対側の裏面から突出する。続いて、第２金属板２５を首輪本体１の裏面に取り付け、突出した突起２３ａを四隅の孔２５ａに挿通させる。最後に突起２３ａの先端を加締めると、ゲルマニウム体３が首輪本体１に固定される。この状態で、ゲルマニウム体３の一部は孔２３ｂから露出し、ペットの体に向けられる。なお、第１金属板２３の孔２３ｂの径は、ゲルマニウム体３の径よりも小さいため、ゲルマニウム体３が首輪本体１から離脱することはない。
【００２０】
また、図４に示すように、構成することもできる。まず、図４（ａ）に示すように、首輪本体１にゲルマニウム体３が嵌る孔２１を形成しておく。続いて、首輪本体１に金属板（板状部材）２７を取り付ける。この金属板２７は、屈曲部２７ａを介して接続された第１面２７ｂ及び第２面２７ｃを有し、２つ折り可能に構成されたものである。第１面２７ｂには、ゲルマニウム体３が接着される一方、第２面２７ｃにはゲルマニウム体３の径よりも小さい円形の孔（露出孔）２７ｄが形成されている。また、第２面２７ｃの端部には、加締め用の突出部２７ｅが形成されている。
【００２１】
そして、金属板２７の第１面２７ｂを首輪本体１の裏面に配置し、ゲルマニウム体３が首輪本体１の孔２１から突出するように取り付ける。続いて、金属板２７を折り畳み、第２面２７ｃの孔２７ｄからゲルマニウム体３の円錐部３ｂが突出するように金属板２７を折り畳む。最後に、突出部２７ｅを首輪本体１の裏面側に折り曲げ、加締めによって金属板２７を首輪本体１に固定する。この状態で、ゲルマニウム体の一部は孔２７ｄから露出し、ペットの体に向けられる。なお、図４（ｂ）に示すように、この孔２７ｄの径は、ゲルマニウム体３の径よりも小さいため、ゲルマニウム体３が首輪本体１から離脱することはない。
【００２２】
さらに、図５に示すように構成することもできる。この例では、図５（ａ）に示すように、首輪本体１に円形の孔２１を形成しておき、ゲルマニウム体３をこの孔２１に配置した後、ゲルマニウム体３の外周と首輪本体１の孔２１の内壁面との隙間にリング状部材３１を圧入して、ゲルマニウム体３を首輪本体１に固定する。この例では、首輪本体１にゲルマニウム体３を直接取り付けているが、図５（ｂ）に示すように、孔が形成された台座４１を準備し、この台座４１にリング３１によってゲルマニウム体３を取り付けた後、台座４１を首輪本体１に取り付けるようにすることもできる。
【００２３】
以上の例で用いた金属板、リング、及び台座は、アルミニウム、銅、チタン等の金属で構成することができる。特に、チタンを用いると、金属アレルギー対策になり、また高級感を演出することができる。
【００２４】
さらに、首輪本体１自体の構成は、上記したものに限定されるものではなく、ペットの体と対向する内面にゲルマニウム体が取り付けられるように構成されていればよい。さらに、ゲルマニウム体の数は、１個に限定されるものではなく、首輪本体の長手方向に沿って、複数のゲルマニウム体を取り付けるようにすることもできる。
【００２５】
また、上記実施形態では、本考案に係るペット用健康器具をペット用の首輪に適用した例を示したが、本考案は、これに限定されるものではなく、ペットの体に着用されるハーネスに適用することもできる。この場合、本考案の本体部をペットの胴体部分に巻き付けるように構成すればよい。
【図面の簡単な説明】
【００２６】
【図１】本考案に係るペット用首輪の一実施形態を示す斜視図である。
【図２】図１に示す中間部の斜視図である。
【図３】本考案に係るペット用首輪におけるゲルマニウム体の取り付け例である。
【図４】本考案に係るペット用首輪におけるゲルマニウム体の取り付け例である。
【図５】本考案に係るペット用首輪におけるゲルマニウム体の取り付け例である。
【符号の説明】
【００２７】
１      首輪本体（本体部）
３      ゲルマニウム体
２３    第１金属板（板状部材）
２３ｂ  孔（露出孔）
２５    第２金属板（板状部材）
２７    金属板（板状部材）
２７ｄ  孔（露出孔）
【図１】
0003101356.tif 000003
【図２】
0003101356.tif 000004
【図３】
0003101356.tif 000005
【図４】
0003101356.tif 000006
【図５】
0003101356.tif 000007